(57)【要約】【課題】第１面と第２面の画像を鮮明に読み取ることができ、かつ、画像の読取から出力までを短時間で行え、さらにはメンテナンスも容易な画像読取装置を提供すること。【解決手段】原稿読取装置は、原稿を原稿搬送路に沿って搬送する原稿送り手段と、搬送されてきた原稿の第１面の画像を読み取る第１画像読取手段と、搬送されてきた原稿の第２面の画像を読み取る第２画像読取手段とを備え、第１および第２画像読取手段は、光源、ミラー、レンズおよびイメージセンサから構成される縮小光学系の画像読取手段であり、第２画像読取手段は光源、ミラー、レンズおよびイメージセンサが１つの集合体をなすようにユニット化され原稿送り手段に対して１つのユニットとして着脱可能に装着される。【選択図】図５
2006253914.tif 000002
【特許請求の範囲】
【請求項１】
原稿を原稿搬送路に沿って搬送する原稿送り手段と、搬送されてきた原稿の第１面の画像を読み取る第１画像読取手段と、搬送されてきた原稿の第２面の画像を読み取る第２画像読取手段とを備え、第１および第２画像読取手段は、光源、ミラー、レンズおよびイメージセンサから構成される縮小光学系の画像読取手段であり、第２画像読取手段は光源、ミラー、レンズおよびイメージセンサが１つの集合体をなすようにユニット化され原稿送り手段に対して１つのユニットとして着脱可能に装着されることを特徴とする原稿読取装置。
【請求項２】
原稿送り手段は、第２画像読取手段を固定するためのフレームを備え、フレームと第２画像読取手段は、第２画像読取手段をフレームに対して装着する際に両者の位置関係を仮決めするための一対の凸部と凹部がそれぞれ形成され、フレームは、フレームと第２画像読取手段との位置関係を最終的に決めて両者を固定するための固定部材を有する請求項１に記載の原稿読取装置。
【請求項３】
固定部材と第２画像読取手段は、両者の位置関係を決めるための一対の凸部と凹部がそれぞれ形成されてなる請求項２に記載の原稿読取装置。
【請求項４】
第２画像読取手段は光源を保持する光源ホルダーを有し、光源ホルダーは原稿搬送路の一部を形成することを特徴とする請求項１〜３のいずれか１つに記載の原稿読取装置。
【請求項５】
原稿送り手段は原稿搬送路の一部を露出させる開閉可能な蓋部材を有し、原稿搬送路は蓋部材が開いた際に露出する領域の一部に通孔が形成され、第２画像読取手段のミラーは、原稿搬送路に形成された通孔を介してその傾斜角が調整可能であることを特徴とする請求項１〜４のいずれか１つに記載の原稿読取装置。
【請求項６】
イメージセンサはＣＣＤからなり、第１および第２画像読取手段のＣＣＤはそれらの解像度が互いに同一であることを特徴とする請求項１〜５のいずれか１つに記載の原稿読取装置。
【発明の詳細な説明】
【技術分野】
【０００１】
この発明は、原稿読取装置に関し、詳しくは、原稿を自動的に搬送しつつ原稿の両面の画像を読み取ることが可能な原稿読取装置に関する。
【背景技術】
【０００２】
この発明に関連する従来技術としては、自動的に原稿を搬送しつつその原稿の両面の画像を読み取る原稿読取装置であって、原稿搬送路と、原稿の第１面の画像を読み取る縮小光学系の画像読取手段と、原稿の第２面の画像を読み取る密着型イメージセンサとを備え、原稿搬送路はその一部に付勢手段によって付勢された平らなバックアップガイド板を有し、原稿の第１面を縮小光学系の画像読取手段によって読み取った後、焦点深度の浅い密着型イメージセンサの弱点を補うべく、原稿の第２面をバックアップガイド板によって密着型イメージセンサへ付勢しながら読み取るように構成された原稿読取装置が知られている（例えば、特許文献１参照）。
【特許文献１】特開２００２−１８２４３７号公報
【発明の開示】
【発明が解決しようとする課題】
【０００３】
複写機等に設けられる原稿読取装置の画像読取方式としては、一般的に原稿固定方式と原稿移動方式の２つが挙げられる。
原稿固定方式では、透明なプラテン上にユーザーが原稿を載置し、プラテンの下に設けられた光源、ミラー群、レンズおよびＣＣＤから構成される画像読取手段（以下、「縮小光学系の画像読取手段」と称する）のうち光源とミラー群を原稿に対して移動させながら原稿の画像を走査し、ミラーから反射してきた光線をレンズを介してＣＣＤに結像させ、原稿の画像を電子化する。
一方、原稿移動方式では、自動原稿送り装置（以下、「ＡＤＦ」と称する）によって搬送されプラテン上を通過する原稿に対して光源とミラー群を静止させた状態で走査し、画像の読取を行う。
【０００４】
近年の原稿読取装置は、ＡＤＦを備えたものが多く、また、ＡＤＦによって搬送されてくる原稿の両面の画像を読み取ることができるように構成されたものも多い。
原稿の両面を読み取る方式としては、原稿がプラテン上を通過する際にプラテン下に設けられた縮小光学系の画像読取手段によって原稿の第１面の画像を読み取った後、原稿搬送路中に設けられたスイッチバック路を利用して原稿を反転させて再びプラテン上を通過させ、第２面の画像を読み取る方式がある。
【０００５】
しかし、このようなスイッチバック路を用いて原稿を反転させる方式では、第１面の画像が読み取られた後、スイッチバック路を利用して原稿を反転させ、再びプラテン上を通過させて第２面の画像を読み取ることから、両面読取に多くの時間を要する。
また、スイッチバック路を利用することから原稿の搬送に関する制御が複雑化すると共に、原稿詰まり（ジャム）を引き起こす可能性も高まる。特にジャムはＡＤＦを備えた原稿読取装置において最も回避しなければならない問題である。
【０００６】
このような事情から、特許文献１に記載のような、原稿の第１面の画像が読み取られてから排紙トレイに向かうまでの原稿搬送路中に原稿の第２面の画像を読み取る第２の画像読取手段を設け、プラテン上を１回のみ通過させるだけで両面の読取を可能とする方式が考えられた。
しかし、第２の画像読取手段は、プラテンに対して頻繁に開け閉めが繰り返されるＡＤＦの原稿搬送路の途中に配置されることから、設置スペースや振動に対する耐久性などの面で制約があり、一般的には縮小光学系の画像読取手段に比べて設置スペースや、振動に対する耐久性の面で優位な密着型イメージセンサが採用されることが多かった。
【０００７】
密着型イメージセンサは、確かに設置スペースや振動に対する耐久性の面では縮小光学系の画像読取手段よりも優位であるが、解像度や焦点深度などの点では縮小光学系の画像読取手段よりも劣る。
このため、縮小光学系の画像読取手段によって読み取られた第１面の画像は鮮明であるにも係わらず、密着型イメージセンサによって読み取られた第２面の画像が第１面と比較して不鮮明になりがちである。
【０００８】
そこで、原稿読取装置の中には、第１面と画像と第２面の画像をほぼ同様の画像品質とするべく、読み取った第１面の第２面の画像データに画像処理を施してから出力するものも多い。
しかし、このような画像処理は、原稿読取装置の制御部にとって大きな負担となり、画像の読み取りから出力までの時間を短縮させるうえで大きな障害となる。
【０００９】
このような課題を解決するためには、原稿の第２面を読み取るための画像読取手段として密着型イメージセンサに代えて、第１面の読み取りに用いられるのと同様の性能を有する縮小光学系の画像読取手段を用いることが考えられる。
しかし、上述の通り、第２面を読み取るための画像読取手段は、プラテンに対して開け閉めが繰り返され、その都度、振動が発生するＡＤＦの原稿搬送路中に設置されることから、仮に縮小光学系の画像読取手段をＡＤＦの原稿搬送路中に設置すると度重なる振動によるミラーの傾斜角ズレなどによって光軸が一定に保たれなくなる恐れがあり、光軸を一定に保つには定期的なメンテナンスが必要不可欠になる。
【００１０】
しかし、単に縮小光学系の画像読取手段をＡＤＦの原稿搬送路中に設けたとすれば、メンテナンスの毎にＡＤＦを分解しなければ、縮小光学系の画像読取手段をメンテナンスできないという不都合が生じる。
これはメンテナンスを行う者に大変な労力と熟練を要求するばかりでなく、ユーザーに対しても、メンテナンスの開始から完了までの待機時間が長くなるという不都合を強いることになる。
【００１１】
この発明は以上のような事情を考慮してなされたものであり、第１面と第２面の画像を鮮明に読み取ることができ、かつ、画像の読取から出力までを短時間で行え、さらにはメンテナンスも容易な画像読取装置を提供するものである。
【課題を解決するための手段】
【００１２】
この発明は、原稿を原稿搬送路に沿って搬送する原稿送り手段と、搬送されてきた原稿の第１面の画像を読み取る第１画像読取手段と、搬送されてきた原稿の第２面の画像を読み取る第２画像読取手段とを備え、第１および第２画像読取手段は、光源、ミラー、レンズおよびイメージセンサから構成される縮小光学系の画像読取手段であり、第２画像読取手段は光源、ミラー、レンズおよびイメージセンサが１つの集合体をなすようにユニット化され原稿送り手段に対して１つのユニットとして着脱可能に装着されることを特徴とする原稿読取装置を提供するものである。
【発明の効果】
【００１３】
この発明によれば、第１および第２画像読取手段がいずれも光源、ミラー、レンズおよびイメージセンサから構成される縮小光学系の画像読取手段であるため、読み取られた第１面の第２面の画像データはいずれも解像度に優れた鮮明なものとなり、第１面の第２面の画像データを同一の画像品質とするための画像処理を簡略化、あるいは省くことができるので、制御部の負担が減少し、画像の読取から出力までの時間が短縮化される。
さらに、第２画像読取手段がユニット化され、原稿送り手段に対して１つのユニットとして着脱可能に装着されるため、メンテナンスを行う際には第２画像読取手段を原稿送り手段から取り外してメンテナンスすることができ、メンテナンスの省力化と時間短縮を図ることができる。
また、現場でのメンテナンスで対応できないような不良が生じた場合には、ユニットごと交換することにより、すぐに使用可能な状態に回復させることができる。
【発明を実施するための最良の形態】
【００１４】
この発明による原稿読取装置は、原稿を原稿搬送路に沿って搬送する原稿送り手段と、搬送されてきた原稿の第１面の画像を読み取る第１画像読取手段と、搬送されてきた原稿の第２面の画像を読み取る第２画像読取手段とを備え、第１および第２画像読取手段は、光源、ミラー、レンズおよびイメージセンサから構成される縮小光学系の画像読取手段であり、第２画像読取手段は光源、ミラー、レンズおよびイメージセンサが１つの集合体をなすようにユニット化され原稿送り手段に対して１つのユニットとして着脱可能に装着されることを特徴とする。
【００１５】
この発明による原稿読取装置において、原稿送り手段とは、原稿搬送路に沿って原稿を搬送できるものであればよく、その構成は特に限定されないが、具体例としては、公知の自動原稿送り装置（ＡＤＦ）を挙げることができる。
また、ユニット化とは、光源、ミラー、レンズおよびイメージセンサが、１つの集合体（アッセンブリー）となり、原稿送り手段に対して１つのコンポーネントとして着脱可能な状態となっていることを意味する。
【００１６】
この発明による原稿読取装置において、原稿送り手段は、第２画像読取手段を固定するためのフレームを備え、フレームと第２画像読取手段は、第２画像読取手段をフレームに対して装着する際に両者の位置関係を仮決めするための一対の凸部と凹部がそれぞれ形成され、フレームは、フレームと第２画像読取手段との位置関係を最終的に決めて両者を固定するための固定部材を有していてもよい。
このような構成によれば、ユニット化された第２画像読取手段を原稿送り手段のフレームへ装着する際に、両者の位置関係が一対の凸部と凹部によって必然的に決定されるので、フレームに対する第２画像読取手段の装着が容易になると共に、高い位置精度で第２画像読取手段をフレームに取付けることができる。
【００１７】
また、フレームと第２画像読取手段に一対の凸部と凹部がそれぞれ形成され、フレームが固定部材を有する上記構成において、固定部材と第２画像読取手段は、両者の位置関係を決めるための一対の凸部と凹部がそれぞれ形成されていてもよい。
このような構成によれば、原稿送り手段のフレームに対する位置が仮決めされた第２画像読取手段を固定部材によって最終的に固定する際に、固定部材と第２画像読取手段の位置関係が必然的に決定されることから、固定部材の取付けが容易になると共に、より一層高い位置精度で第２画像読取手段をフレームに取付けることができる。
【００１８】
この発明による原稿読取装置において、第２画像読取手段は光源を保持する光源ホルダーを有し、光源ホルダーは原稿搬送路の一部を形成してもよい。
このような構成によれば、第２画像読取手段が原稿搬送路の一部を兼ねることとなるので、原稿読取装置の小型化が図られる。
【００１９】
この発明による原稿読取装置において、原稿送り手段は原稿搬送路の一部を露出させる開閉可能な蓋部材を有し、原稿搬送路は蓋部材が開いた際に露出する領域の一部に通孔が形成され、第２画像読取手段のミラーは、原稿搬送路に形成された通孔を介してその傾斜角が調整可能となるように構成されてもよい。
このような構成によれば、第２画像読取手段において、最もメンテナンスの必要度が高いミラーの傾斜角を、第２画像読取手段が原稿送り手段に取付けられたままの状態で調整でき、メンテナンスの容易化と時間短縮の観点から非常に好ましいものとなる。
【００２０】
また、第２画像読取手段を原稿送り手段から取り外してメンテナンスを行う場合でも、取り外した状態で、光軸のズレを修正するべくミラーの傾斜角を調整し、その後、第２画像読取手段を実際に原稿送り手段に取付けた状態で、ミラーの傾斜角を微調整することにより、光軸のズレを完全に修正することができる。
つまり、ユニット化された第２画像読取手段を、原稿送り手段から取り外した状態でミラーの傾斜角などについてメンテナンスを行いユニット単位で光軸のズレを修正しても、実際に原稿送り手段に取付けた状態では原稿搬送路との位置関係から更に光軸の微修正が必要となる場合がある。第２画像読取手段を原稿送り手段に取付けた状態で、ミラーの傾斜角を調整できることは、このような観点からも非常に好ましい態様であるといえる。
なお、原稿搬送路に形成された通孔は、通常の稼動時には何らかの栓部材によって塞がれていることが好ましい。
【００２１】
この発明による原稿読取装置において、イメージセンサはＣＣＤからなり、第１および第２画像読取手段のＣＣＤはそれらの解像度が互いに同一であることが好ましい。
このような構成によれば、第１画像読取手段によって読み取られた第１面の画像データと、第２画像読取手段によって読み取られた第２面の画像データが同一の画像品質のものとなり、両者の画像品質を整合させるための画像処理が不要となるので、画像読取から出力までの時間がより一層短縮される。
【００２２】
以下、図面に示す実施例に基づいてこの発明を詳細に説明する。
【実施例】
【００２３】
この発明の実施例による原稿読取装置について図１〜８に基づいて説明する。
図１は実施例による原稿読取装置１００の全体の外観を示している。また、図１に示される原稿読取装置１００の概略的な断面図を図２に示す。
【００２４】
図２に示されるように、概して、実施例による原稿読取装置１００は、原稿を原稿搬送路Ｆに沿って自動的に搬送する自動原稿送り装置（以下、「ＡＤＦ」と称する）１と、搬送されてきた原稿の表面（第１面）側の画像を読み取る第１画像読取手段１０と、搬送されてきた原稿の裏面（第２面）側の画像を読み取る第２画像読取手段２０とを備え、第１および第２画像読取手段１０，２０は、光源１１，２１、ミラー１２ａ，１２ｂ，１２ｃ，２２ａ，２２ｂ，２２ｃ，２２ｄ、レンズ１３，１４およびＣＣＤ（イメージセンサ）１５，２５から構成される縮小光学系の画像読取手段であり、第２画像読取手段２０は光源２１、第１〜第４ミラー２２ａ，２２ｂ，２２ｃ，２２ｄ、レンズ２３およびＣＣＤ２５が１つの集合体をなすようにユニット化され、ＡＤＦ１に対して着脱可能に装着されている。
【００２５】
図１に示される原稿読取装置１００は複写機（図示せず）の上部に設けられるもので、第２画像読取手段２０を収納するＡＤＦ１と、第１画像読取手段１０を収容する主走査部２とから主に構成されている。
ＡＤＦ１と主走査部２はヒンジ（図示せず）によって連結され、ＡＤＦ１はヒンジの回動によって主走査部２に対して開閉可能となっている。
【００２６】
図３に主走査部２単体の斜視図を示す。
図２及び図３に示されるように、主走査部２は、筐体３と、透明なガラス板からなるプラテン板４と、筐体３内に収容される第１画像読取手段１０とから主に構成されている。なお、図３に示される主走査部２はプラテン板４が外され、さらにレンズ１３とＣＣＤ１４を外光から遮光する覆いが外された状態を示している。
第１画像読取手段１０は、光源１１と第１ミラー１２ａを保持する光源ユニット１５、第２ミラー１２ｂおよび第３ミラー１２ｃを保持するミラーユニット１６、レンズ１３およびＣＣＤ１４とから主に構成されている。
主走査部２は、ユーザーが原稿をプラテン４上に載置して原稿画像の読取を行う原稿固定方式による画像読取と、ＡＤＦ１によって自動的に原稿を搬送しながら原稿画像を読み取る原稿移動方式の両方式に対応している。
【００２７】
原稿固定方式によって原稿画像を読み取る場合、光源ユニット１５とミラーユニット１６は、原稿固定方式に対応したホームポジションにそれぞれ移動する。その後、光源ユニット１５は原稿に対して光を照射しながら一定の速度で副走査方向に移動して原稿の画像を走査し、それと同時にミラーユニット１６は光源ユニット１５の移動速度の１／２の移動速度で同じく副走査方向に移動する。
光源ユニット１５から照射され原稿から反射した光は光源ユニット１５に設けられた第１ミラー１２ａで反射したのち、ミラーユニット１６の第２および第３ミラー１２ｂ，１２ｃによって１８０°光路変換され、第３ミラー１２ｃから反射された光はレンズ１３を介してＣＣＤ１４に結像し、電気的な画像データに変換される。
【００２８】
なお、図２と図３では、光源ユニット１５およびミラーユニット１６の位置が互いに異なっているが、図２は光源ユニット１５とミラーユニット１６がそれらのホームポジションに位置している状態を示し、図３は光源ユニット１５とミラーユニット１６が副走査方向に最大限に移動した状態を示している。
【００２９】
一方、原稿移動方式によって原稿画像を読み取る場合、光源ユニット１５およびミラーユニット１６は、図２に示されるホームポジションに静止したまま、ＡＤＦ１によってホームポジションの上部を通過するように搬送される原稿に対して光源１１から光を照射して画像を走査し、原稿の表面側から反射された光は、上述の原稿固定方式と同様に第１ミラー１２ａによって反射された後、ミラーユニット１６の第２および第３ミラー１２ｂ，１２ｃによって１８０°光路変換され、レンズ１３を介してＣＣＤ１４に結像し、電気的な画像データに変換される。
【００３０】
図２に示されるように、ＡＤＦ１は、原稿載置台５に載置された原稿を１枚ずつＡＤＦ１の内部へ呼び込む呼び込みローラ６と、呼び込まれた原稿を原稿搬送路Ｆに沿って搬送する複数対の搬送ローラ７、給紙タイミングを調節するレジストローラ８、画像読取を終えた原稿を排紙トレイへ排出する排紙ローラ９とから主に構成され、ユニット化された第２画像読取手段２０が略Ｕ字状に弧を描く原稿搬送路Ｆ内に収まるように配設されている。
【００３１】
第２画像読取手段１０は、光源２１を保持する光源ホルダー２５、第１ミラー２２ａ、第２ミラー２２ｂ、第３ミラー２２ｃ、第４ミラー２２ｄ、レンズ２３およびＣＣＤ２４とから主に構成され、これらの各部材は１つの集合体をなすようにユニット用筐体２６に収容されることによりユニット化され、ＡＤＦ１に対して着脱可能に装着されている。なお、第２画像読取手段２０において、光源ホルダー２５に保持された光源２１、レンズ２３、ＣＣＤ２４は、第１画像読取手段を構成するそれらと同一のものである。
【００３２】
上述の通り、第２画像読取手段２０は、ユーザーから両面読取の要求がなされた際に、原稿搬送路Ｆを搬送される原稿の裏面側の画像を読み取る。
具体的には、第１画像読取手段１０によって原稿の表面側の画像が読み取られた後、該原稿は原稿搬送路Ｆに沿って排出トレイ３０へ向けて搬送される間に、第２画像読取手段の光源ホルダー２５の下部を通過する。
この際に第２画像読取手段２０の光源２１は原稿の裏面側へ向けて光を照射し、原稿の裏面側から反射された光は、第１〜第４ミラー２２ａ，２２ｂ，２２ｃ，２２ｄによって順次光路変換された後、レンズ２３を介してＣＣＤ２４に結像し、電気的な画像データに変換される。
【００３３】
さて、第２画像読取手段２０は、第１画像読取手段１０と同様に、解像度と焦点深度に優れた縮小光学系のものであるが、その性能を十分に発揮するためには、原稿から反射した光が、所定の光軸をもって正確にＣＣＤ２４に結像することが重要である。
所定の光軸を維持するためには、第１〜第４ミラー２２ａ，２２ｂ，２２ｃ，２２ｄの傾斜角がそれぞれ所定の角度に正確に維持されなければならない。
【００３４】
しかし、上述の通り、ＡＤＦ１は主走査部２に対して開閉可能であり、ユーザーによって開け閉めが繰り返される度に、その振動が第２画像読取手段２０に伝わり、第１〜第４ミラー２２ａ，２２ｂ，２２ｃ，２２ｄの傾斜角が除々に所定の角度からずれてしまう恐れがある。
したがって、第２画像読取手段２０に十分な性能を発揮させるうえでは、定期的なメンテナンスによって、第１〜第４ミラー２２ａ，２２ｂ，２２ｃ，２２ｄの傾斜角を調整し、原稿から反射した光が正確にＣＣＤ２４に結像するように光軸調整を行うことが好ましい。
このため、実施例による第２画像読取手段２０は、メンテナンスの省力化と時間短縮を目的としてユニット化され、ＡＤＦ１のフレーム４０（図４参照）に対して着脱可能に装着されているのである。
【００３５】
図４及び図５に化粧板と原稿搬送路の一部が外され、ユニット化された第２画像読取手段２０を露出させた状態の斜視図を示す。
図４に示されるように、ユニット化された第２画像読取手段２０は、ユニット用筐体２６の横断面形状に対応した形状を有するＡＤＦ１のフロント側フレーム４０ａの開口部４１から挿入されることによりＡＤＦ１のフレーム４０に装着されている。
【００３６】
ＡＤＦ１のリア側フレーム４０ｂにはボス（凸部）４２ｂが形成されており、このボス４２がユニット用筐体に形成された受け部（凹部）２７ｂに挿入されることにより、フレーム４０と第２画像読取手段２０との位置関係が仮決めされる。
次いで、図５に示されるように、フロント側フレーム４０ａに固定板（固定部材）４３をビスで取付けることにより、固定板４３に形成されたボス４２ａがユニット用筐体２６に形成された受け部（凹部）２７ａに挿入され、第２画像読取手段２０とフレーム４０との位置関係が最終的に決定される。
【００３７】
なお、リア側フレーム４０ｂのボス４２ｂと、固定板４３のボス４２ａは、第２画像読取手段２０の読取ライン、すなわち、光源２１から照射された光が原稿を走査するラインの近傍に位置するように設計されている。これはフレーム４０に対する第２画像読取手段２０の取付位置精度を極力高めるためである。
【００３８】
その後、ＣＣＤ基板２４ａの裏側でユニット挿入方向のほぼ中央に相当する位置をビス４４で留めることによりフレーム４０に対する第２画像読取手段２０の装着が完了する。なお、ＣＣＤ基板２４ａの裏側で最終的にビス留めするのは、読取ラインから極力離れた位置で最終的に固定することにより、ユニット化された第２画像読取手段２０の熱膨張が読取精度に影響を及ぼすことを極力抑えるためである。
【００３９】
また、第２画像読取手段２０が取付けられたフレーム４０を裏面側から見た斜視図を図６に示す。
図２および図６に示されるように、第２画像読取手段２０の光源ホルダー２５は、原稿搬送路Ｆの一部を形成している。つまり、光源ホルダー２５の下面は原稿搬送路Ｆの役割を兼ねているのである。
これにより、縮小光学系の画像読取手段を裏面読取用の画像読取手段として用いることにより懸念されるＡＤＦ１の高さ方向の大型化が極力抑えられている。
【００４０】
第２画像読取手段２０をＡＤＦ１から取り外す際には、まず図１に示されるＡＤＦ１から化粧板を取り外し、図４〜６に示されるようなフロント側フレームが露出した状態とする。なお、図４〜６では、ユニット化された第２画像読取手段２０を露出させるため、原稿搬送路Ｆの一部が取り外された状態となっているが、実際のメンテナンスを行う際には原稿搬送路Ｆを取り外す必要はなく、フロント側フレーム４０ａが露出する状態とすればよい。
その後、ＣＣＤ基板２４ａの裏側のビス４４を取り外し、固定板４３をフロント側フレーム４０ａから取り外し、ユニット用筐体２６をフロント側フレーム４０ａの開口部４１から引き出すことにより第２画像読取手段２０を１つのユニットとして取り外すことができる。
【００４１】
取り外された第２画像読取手段２０は、第１〜第４ミラーの傾斜角調整などによってユニット単体としての光軸調整が行われた後、再び、上述のようにしてＡＤＦ１のフレームに装着される。
この段階で第２画像読取手段２０の光軸は略所定の光軸に調整されているが、取付に伴うユニット用筐体２６の僅かな変形や歪み、原稿搬送路Ｆに対する位置精度などを考慮し、ＡＤＦ１に取付けられた状態でミラーの傾斜角を更に微調整することが好ましい。
【００４２】
図７に示されるように、ＡＤＦ１は原稿詰まり（ジャム）に対応するため原稿搬送路Ｆの一部を露出させる開閉式の蓋部材３１を有しており、蓋部材３１を開くと原稿搬送路Ｆの一部が露出する。
原稿搬送路Ｆには、通常の稼動時は栓部材３２によって蓋がされる通孔３３が形成されており、通孔３３を介してドライバーを挿入することにより、ミラーの傾斜角を調整する調整ネジ２８（図８参照）を回すことができるようになっている。なお、図８では原稿搬送路Ｆが取り外された状態となっているが、実際の調整時には原稿搬送路Ｆを取り外す必要はなく、原稿搬送路Ｆが取付けられたままの状態で調整できる。
【図面の簡単な説明】
【００４３】
【図１】この発明の実施例による原稿読取装置の全体の外観を示す斜視図である。
【図２】図１に示される原稿読取装置の概略的な断面図である。
【図３】主走査部単体の斜視図である。
【図４】ＡＤＦのフレームにユニット化された第２画像読取手段が装着された状態を示す斜視図である。
【図５】図５の要部拡大図である。
【図６】第２画像読取手段が装着されたＡＤＦのフレームを下方からみた状態を示す斜視図である。
【図７】ＡＤＦの蓋部材が開かれ原稿搬送路の一部が露出した状態を示す斜視図である。
【図８】図７に示される状態のＡＤＦから原稿搬送路を取り外した状態を示す斜視図である。
【符号の説明】
【００４４】
１・・・自動原稿送り装置（ＡＤＦ）
２・・・主走査部
３・・・筐体
４・・・プラテン板
５・・・原稿載置台
６・・・呼び込みローラ
７・・・搬送ローラ
８・・・レジストローラ
９・・・排紙ローラ
１０・・・第１画像読取手段
１１・・・光源
１２ａ，２２ａ・・・第1ミラー
１２ｂ，２２ｂ・・・第２ミラー
１２ｃ，２２ｃ・・・第３ミラー
１３，２３・・・レンズ
１４，２４・・・ＣＣＤ
１５・・・光源ユニット
１６・・・ミラーユニット
２０・・・第２画像読取手段
２２ｄ・・・第４ミラー
２４ａ・・・ＣＣＤ基板
２５・・・光源ホルダー
２６・・・ユニット用筐体
２７ａ，２７ｂ・・・受け部
２８・・・調整ネジ
３０・・・排紙トレイ
３１・・・蓋部材
３２・・・栓部材
３３・・・通孔
４０・・・フレーム
４０ａ・・・フロント側フレーム
４０ｂ・・・リア側フレーム
４１・・・開口部
４２ａ，４２ｂ・・・ボス
４３・・・固定板
４４・・・ビス
Ｆ・・・原稿搬送路
【図１】
2006253914.tif 000003
【図２】
2006253914.tif 000004
【図３】
2006253914.tif 000005
【図４】
2006253914.tif 000006
【図５】
2006253914.tif 000007
【図６】
2006253914.tif 000008
【図７】
2006253914.tif 000009
【図８】
2006253914.tif 000010